(57)【要約】【課題】  温熱治療にマイナスイオンを、使い勝手良く併用出来るようにするのが課題である。【解決手段】  マイナス電位布を柔軟性の有るものに改良、又は安全な放射マイナスイオン布を使用する等で、使い勝手の良い温熱器取り付けチョッキを作る。【選択図】  図２
2005342469.tif 000002
【特許請求の範囲】
【請求項１】
柔軟性を有する帯電率の高い樹脂の極薄シートを、糸状にしてこれを縦糸１に、横糸２に帯電率の高い化繊糸を使用し布を織った、マイナス電位布。
【請求項２】
請求項１に記載の縦糸１に、スチレンペーパー極薄シートを糸状にして使用する、マイナス電位布。
【請求項３】
請求項１に記載のマイナス電位布に、リード４先端の銅線をマイナス電位布の端に織り込んで取り付けた、リード線付きマイナス電位布。
【請求項３】
マイナス電位布を内面に取り付け、外面にはマジックジッパ８の着脱可能な布によりチョッキ６を形成し、マジックジッパ８付のポケット７を温熱治療を必要とする箇所に取り付け使用する、マイナス電位温熱器用チョッキ。
【請求項４】
請求項３に記載のマイナス電位布に変わり、人体に無害を証明された、放射イオンセラミックスを練り込んだ布を使用する、マイナスイオン温熱器用チョッキ。
【発明の詳細な説明】
【技術分野】
【０００１】  本発明は平成１６年５月１２日提出の特許願（Ｐ０５２−ＢＥＷ）の改良に関するもので、主として温熱器用チョッキ内面に取り付ける、マイナスイオン布の改良に関するものである。
【背景技術】
【０００２】  従来より治療を必要とする部位に、確実に取り付け使用出来るものに湿布薬があるが、この湿布薬は温湿布・冷湿布共に効果は気のもので、実際的にはさほど効果的で無いことが、テレビで人体にテストしながら放映された事が有る、筆者（代理人）も１年半前に背骨を圧迫骨折し、近所の医師がくれる湿布薬に効果の無いのを実感し、逆に長期に同じ部位での使用で、かぶれになやまされた経験が有る。【０００３】  その時、何気なく湿布に変わり温めて非常に楽になったので、それ以後は温めるようにしているが、今度は温熱器を治療が必要な部位に、長く安定固定するのに苦労するようになった、この発明は温熱器を治療が必要な部位に、長期間安定して固定出来るものである。
【発明の開示】
【発明が解決しょうとする課題】
【０００４】  本発明が解決しようとする課題は、温熱器を患部に正しく取り付け、長期安定使用を可能とするのが課題である。
【課題を解決するための手段】
【０００５】  この課題を解決する手段として、先願のＰ０５２−ＢＥＷの改良に関し、温熱器取り付け用チョッキに使用する、マイナスイオン布の改良により、マイナスイオンと温熱の相乗効果を得られるようにするものである。
【発明の効果】
【０００６】  発明の効果としては、より布に近づけたマイナスイオンチョッキになり、使い勝手が良くなり、患部に温熱器を安定して、取り付け使用するのに役立つものである。
【発明を実施するための最良の形態】
【０００７】  治療用温熱器を、必要な患部に安定取り付け使用を可能とし、マイナス電位を一般市販の電池でコードレス化して、手軽に長期間使用を可能とするのが最良の形態である。  又放射イオンセラミックスを練り込んだ、マイナスイオン布を使用することで、更に使い勝手を良くするのが最良の形態である。
【実施例】
【０００８】  ＦＬＩ食と生活情報センター所長・八藤  真氏の「マイナスエレクトロン（電子）の効果と実際」の記事中「マイナスイオンとは何か」に、［巷では、まだマスナスイオンと称して販売されている製品が山ほどあるが、そのマイナスイオンという物質は何を指しているのであろうか。  ２００２年１月２１日発行の拙著「マイナスイオン健康法−これがホント、あれはウソ」の中でも述べたが、筆者の理解に中では「マイナスイオン」といっても、何のマイナスイオンなのか、何がマイナスイオンなのかが明確ではなく、極めて曖昧に使われていることが多い。
東京大学生産技術研究所の安井教授がホームページで「電磁波悪玉論」や「ミネラルウォーター信仰」などを批判されており、その中で「ドロドロの血液をサラサラにする」「ＯＡ機器の静電気や電磁波対策になる」などと放映したテレビ番組で、マイナスの電荷を帯びた酸素と水がくっついてできるというマイナスイオンの健康効果を並べ立てた内容を「詐欺まがい」とこき下ろされている。「マイナスイオン」といういい方は「科学的迷信用語」であり「マイナスイオン」と一くくりにしてしまうのは、日本で商売用に発明された俗語であるとされている。
筆者も同感である。  エアコンの宣伝をみると、変わり身の早いＣＭだとつくづく思わせる。  昨年までは、「マイナスイオンで部屋を…」とマイナスイオン発生エアコンを強調している。  「マイナスイオン」は、どこえ行ったのであろうか？もともとエアコンの大半はコロナ放電式が多く、銅線と対金属、たとえば鉛などに放電してオゾン（Ｏ３）を発生させるものが多く、エアコンでいうマイナスイオンは、オゾン（Ｏ３）、酸素（Ｏ２）、発生起の酸素（Ｏ）のことであったものである。  高原の爽やかさ、爽快感と銘打ったものの、中身はオゾンとされるが、オゾンは諸刃の剣、わずかなら（ｐｐｍ以下）よいが、多くなれば毒ガスと同じである。  オキシダント警報が出されるのは、２．５ｐｐｍ以上のオゾンが大気中に発生された時であり、危険域となる。  しかも、その発生しているＯ３、Ｏ２、Ｏは、電子の不足している活性酸素なのか、正常酸素なのか。  Ｏ３、Ｏは、りっぱな活性酸素なのである。  マイナスイオンの応用製品では、人工的にマイナスイオンを発生させる方法は主に次ぎの４種類に分類される。］【０００９】  ［（水破砕型）滝のように、水が砕け散るエネルギーでマイナスイオンを発生させる方法である。  加湿型空気清浄機、シフ防止型洗濯乾燥機などに応用されているが、これも何が発生しているかは、水質によって変わってくることは当然のこと、次亜塩素（ＨＣＬＯ）の大量に入った水道水ではＣＬＯ次亜塩素がマイナスイオンになりかねない。］【００１０】  ［（放電型）高電圧３０００〜９０００Ｖぐらいをかけて電極間を放電し、マイナスイオンを発生させる方法。  ここでいうマイナスイオンとは、前述Ｏ、Ｏ、Ｏで殺菌力を持つオゾン、発生起の酸素であるが、同時に活性酸素でもある。  発生する量の問題が残る。  パルス放電方式もあるが、電子は思うように飛ばない。空気清浄機、エアコン、ヘアドライヤー、扇風機、掃除機などに応用されている。］【００１１】  ［（放射型）天然鉱石、セラミックス、トルマリンなどから発生するマイナスイオン、トルマリンは別名「電気石」として知られている。  熱・電磁波・摩擦などのエネルギーによって−ｅ（エレクトロン）、電気を放出する。  天然鉱石はろいろあるが、常温でマイナスイオンを放射していると称する石があるとすれば、それは放射線であって、その石には放射性元素、ラドン、ストロンチウム、セシウムなどが含まれている可能性があり、その元祖が特定され、その放射量の安全性が確認されないと危険といえる。  銀・銅・チタン・ゲルマニウムなどの組み合わせにより、熱や電磁波、摩擦、電位差除湿器、文具、アクセサリー、布製品、塗料、日用雑貨などに応用されている。］【００１２】  ［（静電電位型）電流はほとんど流さずに、電圧だけをかけてマイナスエレクトロン（−ｅ＝電子）を人体や動植物、食品に付加するもの。  導電性の良い人体や動植物はコンデンサーとなって電子を補給し、物質（元素）の酸化、還元を正常化する。  電位治療器として医療許可もあり、その歴史も長い。  本来は、物質、陽イオン、陰イオンの元素の共通物質は陽子、中性子、素粒子、その周りを飛ぶ電子（−ｅ＝マイナスエレクトロン）で、この電子の移動が酸化還元であり、電子が不足していれば���酸素でいう活性酸素となるわけで、この活性はラジカル化（過激派化）するという意味である。  酸素だけが過激派化するのではなく、元素のすべてがあるべき電子を失うとラジカル化すると考えてよい。  そのため、電子（マイナスエレクトロン）の補給は、現在社会において必須の条件の一つであると考えている。  このように一口に、マイナスイオンといっても、いろいろな方法といろいろな物質を混同さぜていることに無理があると考えられる。  まず、物質の特定と作用を明確にすべきで有ろう。  そこで、マイナスイオンの一つであるマイナスエレクトロン（電子）の働きを考えると、すでに治療器として確率されている。］と記述されている。【００１３】  「静電電位型」は電位治療として使用の場合には、高電圧を使用するので長時間使用は人体に弊害を生ずるが、本発明のものはコードレス化すると共に、９Ｖという低電圧でまったくその心配の無いもので、又「放射型」のセラミックス使用の場合にも、人体に有害な放射線は自然界での許容量内で、安全であることが証明済みのセラミックスを、練り込んだマイナスイオン布を使用するものである。【００１４】  図１に図示せるものは、誘電率の高い極薄樹脂ペーパー１を縦糸に、横糸には誘電率の高い化繊糸２を使用し織り上げた布で、電線の銅線部分の一部を布の端に織り込みリード線４を取り出す、このリード線４を９Ｖ積層乾電池５のマイナス側に接続したもので、このようにマイナス電位布３を形成するものである。【００１５】  放射イオン布としては、今回は、東レ製品の「レアース鉱石が放射する微弱放射線（人体に安全な基準以下）の電離作用によりマイナスイオンを生ずる布」を使用し、前記のマイナス電位布３との効果テストをすることにした。【００１６】  マイナスイオンは食品の鮮度を保持する効果が有ることを利用し、マイナス電位布３とセラミックス練り込み布の、目に見える効果確認テストをしたのが、添付の「参考写真資料」で、テストに使用したマイナス電位布３の縦糸に、糸状にした極薄スチレンペーパーを使用した。  そのままの状態を（Ａ）、９Ｖ電池のマイナスに接続したマイナス電位布３（Ｂ）、セラミックスを練り込んだ放射イオン布（Ｃ）の３種類に、それぞれ苺を紙容器内に３個づつ入れて置き、室温（常温）にて同じ条件下で同時にスタートした。【００１７】  ２日目は（Ａ）（Ｂ）（Ｃ）共１日目とほとんど変化が無く。
３日目から（Ａ）の鮮度が落ち傷み初め、（Ｂ）は変化なく、（Ｃ）にも少し鮮度の低下が見られた。
４日日には（Ａ）は３個共傷みが酷くなりカビの発生が見られ、（Ｂ）は鮮度が落ち初め１個に少しカビが発生、（Ｃ）も鮮度が落ち３個に少しカビが発生した。５日目には（Ａ）はカビが全体に広がり、（Ｂ）は１個のカビが広がり、（Ｃ）も３個にややカビの広がりが見られた。
このテスト後内部の苺を取り去り各紙容器の底を確認、（Ａ）そのままの容器底の汚れが最も酷く、次ぎは（Ｃ）マイナスイオン布容器の底で、（Ｂ）マイナス電位容器底はまったく汚れがなかった。  これを見てもマイナス電位布３の効果がもっとも高く、次いで放射イオン布がそのままの状態よりも効果が有った。【００１８】  図２に図示せるものは温熱器１１取り付けチョッキ６を示すもので、このチョッキ６の内面にマイナス電位布３又は放射マイナスイオン布を取り付け、チョッキ６の外面はマジックジッパ８の着脱自在の布により形成される、温熱器１１をチョッキ６に取り付ける場合には、ポケット７をチョッキ６の患部にあたる位置に、マジックジッパ８により取り付け、そのポケット７内に温熱器１１を入れて使用する、この場合温熱とマイナスイオンとの相乗効果を、同時に得ることが出来るものである。
【産業上の利用可能性】
【００１９】  温熱器を患部に正しく取り付け使用を可能とするもので、病院での患者用に又自宅にての温熱治療に、マイナスイオンとの相乗効果が、期待出来る製品を提供可能とするものである。
【図面の簡単な説明】
【００２０】
【図１】  電位布を示す図である。
【図２】  温熱器取り付け使用中を示す図である。
【符号の説明】
【００２１】１    帯電率の良い極薄樹脂の縦糸
２    帯電率の良い化繊の横糸
３    マイナス電位布
４    リード線
５    ９Ｖ積層乾電池
６    上面マジックジッパ着脱生地チョッキ
７    温熱器用ポケット
８    マジックジッパ
９    人体
１０  電池用ポケット
１１  温熱器
【図１】
2005342469.tif 000003
【図２】
2005342469.tif 000004